(57)【要約】      （修正有）【課題】外装ケースの開口部から情報記録媒体が突出している場合に、開口部が設けられた面が蓋体によって閉じられることを防止する。【解決手段】情報記録再生装置の外装ケース２は、蓋体によって開閉可能に覆われる面に、情報記録媒体が挿脱される開口部３１を有している。ロック部材２２は、蓋体の閉じる方向への移動を阻止するロック位置と、蓋体の閉じる方向への移動を可能にするロック解除位置との間を移動可能であり、ロック用付勢部材２９によってロック位置に付勢されている。そして、ロック解除レバー４８ａによってロック解除位置に移動される。ロック解除規制部材２４は、ロック部材２２に連動して移動し、ロック部材２２がロック解除位置に移動すると、開口部３１の少なくとも一部を塞ぐ。【選択図】図４
2010250871.tif 000002
【特許請求の範囲】
【請求項１】
情報記録媒体が挿脱される開口部を有する外装ケースと、
前記外装ケースの前記開口部が設けられた面を開閉可能に覆う蓋体と、
前記外装ケースに設けられ、前記蓋体の閉じる方向への移動を阻止するロック位置と、前記蓋体の閉じる方向への移動を可能にするロック解除位置との間を移動するロック部材と、
前記ロック部材を前記ロック位置に付勢するロック用付勢部材と、
前記ロック部材をロック解除位置に移動させるためのロック解除レバーと、
前記ロック部材に連動して移動し、前記ロック部材が前記ロック解除位置に移動すると、前記開口部の少なくとも一部を塞ぐロック解除規制部材と、
を備える情報記録再生装置。
【請求項２】
前記ロック解除位置で前記ロック部材の移動を係止し、前記蓋体を閉じると、前記蓋体に押圧されて前記ロック部材に対する係止を解除する係止部材と、
前記係止片を前記ロック部材の移動を係止する位置に付勢する係止用付勢部材と、
を有する請求項１記載の情報記録再生装置。
【請求項３】
前記蓋体は、前記外装ケースに回動可能に係合される回動軸と、
前記回動軸に設けられ、前記係止片を押圧する押圧部と、
を有する請求項２記載の情報記録再生装置。
【請求項４】
前記押圧部は、前記回動軸に嵌合するリング状に形成され、半径を徐々に大きくするようにして設けられた操作突起を有する
請求項３記載の情報記録再生装置。
【請求項５】
前記係止部材は、前記押圧部の半径方向に移動可能に構成される
請求項４記載の情報記録再生装置。
【請求項６】
前記係止部材は、前記外装ケースに回動可能に支持される
請求項４記載の情報記録再生装置。
【請求項７】
前記情報記録媒体の取り出し動作を開始させる操作部材を備え、
前記ロック部材又は前記ロック解除レバーは、前記ロック解除位置において前記操作部材に係合して前記取り出し動作を禁止する
請求項１〜６の何れかに記載の情報記録再生装置。
【発明の詳細な説明】
【技術分野】
【０００１】
本発明は、一面に情報記録媒体を挿脱する開口部が設けられ外装ケースと、この外装ケースの一面を開閉可能に覆う蓋体を備えた情報記録再生装置に関する。
【背景技術】
【０００２】
情報記録再生装置には、一面に情報記録媒体を挿脱する開口部が設けられ外装ケースと、この外装ケースの一面を開閉可能に覆う蓋体を備えたものがある。このような情報記録再生装置では、蓋体を開けて開口部が設けられた外装ケースの一面を開放し、情報記録媒体の挿脱を行う。
【０００３】
このような情報記録再生装置としては、例えば、特許文献１に記載されているようなものがある。特許文献１には、磁気記録再生装置に関する技術が記載されている。この特許文献１に記載された磁気記録再生装置は、情報記録媒体の挿排出口を供えたフロント部と、このフロント部を開閉可能に覆う蓋部と、蓋部に設けられたディスプレイとを有している。
【先行技術文献】
【特許文献】
【０００４】
【特許文献１】特開平７−３２０４６７号公報
【発明の概要】
【発明が解決しようとする課題】
【０００５】
しかしながら、特許文献１に記載された磁気記録再生装置では、情報記録媒体が挿排出口から突出した状態で蓋部を閉じると、情報記録媒体と蓋部が干渉し、情報記録媒体や蓋部が損傷してしまう心配があった。
【０００６】
本発明は、このような状況に鑑みてなされたものであり、開口部から情報記録媒体が突出している場合に蓋体を閉じることができないようにすることを目的とする。
【課題を解決するための手段】
【０００７】
上記の課題を解決し、本発明の目的を達成するため、本発明の情報記録再生装置は、外装ケースと、蓋体と、ロック部材と、ロック用付勢部材と、ロック解除レバーと、ロック解除規制部材とを備える。外装ケースは、情報記録媒体が挿脱される開口部を有する。蓋体は、外装ケースの開口部が設けられた面を開閉可能に覆う。
【０００８】
外装ケースには、ロック部材が設けられている。このロック部材は、蓋体の閉じる方向への移動を阻止するロック位置と、蓋体の閉じる方向への移動を可能にするロック解除位置との間を移動する。ロック用付勢部材は、ロック部材をロック位置に付勢している。また、ロック部材は、ロック解除レバーによってロック解除位置に移動される。ロック解除規制部材は、ロック部材に連動して移動し、ロック部材がロック解除位置に移動すると、開口部の少なくとも一部を塞ぐ。
【０００９】
本発明の情報記録再生装置では、蓋体の閉じる方向への移動がロック部材によって阻止される。そのため、蓋体を閉じる方向に移動させるには、ロック解除レバーによってロック部材をロック解除位置に移動させる必要がある。ロック部材をロック解除位置に移動させるとき、ロック解除規制部材がロック部材の移動に連動し、情報記録媒体が挿脱される開口部の少なくとも一部を塞ぐ。
【００１０】
開口部から情報記録媒体が突出している場合には、情報記録媒体にロック解除規制部材が干渉するため、ロック部材をロック解除位置に移動させることができない。したがって、開口部から情報記録媒体が突出している場合には、蓋体の閉じる方向への移動がロック部材によって阻止されることになり、蓋体を閉じることができない。
【発明の効果】
【００１１】
本発明によれば、外装ケースの開口部から情報記録媒体が突出している場合に、開口部が設けられた面が蓋体によって閉じられることを防止することができる。
【図面の簡単な説明】
【００１２】
【図１】本発明の情報記録再生装置の第１の実施の形態における蓋体を閉じた状態の斜視図である。
【図２】本発明の情報記録再生装置の第１の実施の形態における蓋体を開いた状態の斜視図である。
【図３】本発明の情報記録再生装置の第１の実施の形態に係るフロントパネル組立体の正面図である。
【図４】本発明の情報記録再生装置の第１の実施の形態に係るフロントパネル組立体の背面図である。
【図５】本発明の情報記録再生装置の第１の実施の形態に係るロック部材係止機構を示す斜視図である。
【図６】本発明の情報記録再生装置の第１の実施の形態に係る蓋体の閉じる方向への回動を可能にした状態の開口部を示す斜視図である。
【図７】本発明の情報記録再生装置の第１の実施の形態に係る蓋体の閉じる方向への回動を可能にした状態のフロントパネル組立体の背面図である。
【図８】本発明の情報記録再生装置の第１の実施の形態に係る係止部材が蓋体に押圧されてロック部材に対する係止を解除するまでの動作を示す説明図である。
【図９】本発明の情報記録再生装置の第２の実施の形態に係るロック部材係止機構を示す斜視図である。
【図１０】図９に示すロック部材係止機構をＡ−Ａ′線で断面した断面図である。
【発明を実施するための形態】
【００１３】
以下、本発明の情報記録再生装置を実施するための実施の形態について、図１〜図１０を参照して説明する。各図において共通の部材には、同一の符号を付している。
また、説明は以下の順序で行う。
１．第１の実施の形態
２．第２の実施の形態
【００１４】
〈１．第１の実施の形態〉
［情報記録再生装置］
まず、本発明の情報記録再生装置の第１の実施の形態について、図１及び図２を参照して説明する。
図１は、本発明の情報記録再生装置の第１の実施の形態における蓋体を閉じた状態の斜視図である。図２は、同じく蓋体を開いた状態の斜視図である。
【００１５】
情報記録再生装置１は、ディスク状の情報記録媒体が収納されたカートリッジを交換可能に挿入し、情報記録媒体に対して新たに情報を記録（書込み）したり、予め記録されている情報を再生（読出し）したりできるように構成されている。さらに、情報記録再生装置１は、情報記録媒体に記録されている情報を編集し、その編集した情報をカートリッジに記録することもできる。
【００１６】
情報記録再生装置１は、直方体状に形成されており、外装ケース２と、この外装ケース２に回動可能に支持される蓋体３を備えている。
以下の説明では、蓋体３が開かれる側を前方とし、その反対側を後方とする。
【００１７】
［外装ケース］
次に、外装ケース２について説明する。
外装ケース２は、略長方形の直方体状に形成された中空の筐体からなっている。この外装ケース２は、前方を向く前面２ａと、この前面２ａに対向する後面２ｂと、前方から前面２ａを見て左側の側面を形成する左側面２ｃと、右側の側面を形成する右側面２ｄと、上面２ｅ及び底面２ｆを有している。
【００１８】
図２に示すように、外装ケース２の前面２ａと上面２ｅとの間には、段部１０が設けられている。この段部１０は、フロントパネル組立体１１と、操作パネル組立体１２によって形成されている。
【００１９】
フロントパネル組立体１１は、上面２ｅに略直交し、前面２ａ及び後面２ｂと略平行な平面を有している。このフロントパネル組立体１１には、カートリッジを挿脱するための開口部３１が設けられている。フロントパネル組立体１１のその他の構成については、後で詳しく説明する。
【００２０】
操作パネル組立体１２は、前面２ａに略直行し、上面２ｅと略平行な平面を有する操作パネル１４と、この操作パネル１４に設けられた操作部１５等から構成されている。操作パネル１４は、外装ケース２の短手方向に延びる２つの長辺を有する長方形に形成されている。操作部１５としては、例えば、後述する表示部１８に各種メニューを表示させるためのメニューボタン、情報を再生するための再生ボタン、情報を再生するスピードを調節するコントロールダイヤルなどを挙げることができる。
【００２１】
外装ケース２の内部には、カートリッジ搬送機構、回転駆動部、記録及び／又は再生部、制御回路などが設けられている。カートリッジ搬送機構は、フロントパネル組立体１１の開口部３１から挿入されたカートリッジを外装ケース２内の装着位置に搬送する。また、カートリッジ搬送機構は、外装ケース２内の装着位置に配置されたカートリッジを搬出位置に搬送する。排出位置に搬送されたカートリッジは、フロントパネル組立体１１の開口部３１から突出する。
【００２２】
回転駆動部は、装着位置に配置されたカートリッジの情報記録媒体を回転させる。記録及び／又は再生部は、回転駆動部により回転された情報記録媒体の情報記録面に情報の書き込み及び／又は読み出しを行う。制御回路は、カートリッジ搬送機構、回転駆動部、記録及び／又は再生部の駆動制御を行う。
【００２３】
［蓋体］
次に、蓋体３について説明する。
蓋体３は、外装ケース２の段部１０に応じた略四角形に形成されており、外装ケース２のフロントパネル組立体１１及び操作パネル組立体１２を開閉可能に覆う。この蓋体３は、外装ケース２に回動可能に支持される蓋本体１７と、この蓋本体１７に設けられた表示部１８（図２参照）を備えている。
【００２４】
蓋本体１７は、操作パネル１４と略同じ大きさの長方形に形成されたベース部１７ａと、このベース部１７ａの三辺に連続して略垂直に突出する側板部１７ｂ,１７ｃ,１７ｄからなっている。ベース部１７ａの一面は、蓋本体１７の内側面を形成し、蓋体３を閉じた状態で操作パネル１４に対向する。このベース部１７ａの一面には、上述した表示部１８が設けられている。
【００２５】
ベース部１７ａの他面は、蓋体３を閉じた状態で外装ケース２の上面２ｅと共に情報記録再生装置１の上面を形成する。また、側板部１７ｂは、蓋体３を閉じた状態で外装ケース２の前面２ａと共に情報記録再生装置１の前面を形成する。そして、側板部１７ｃは、蓋体３を閉じた状態で外装ケース２の左側面２ｃと共に情報記録再生装置１の左側面を形成し、側板部１７ｄは、外装ケース２の右側面２ｄと共に情報記録再生装置１の右側面を形成する。
【００２６】
蓋本体１７の側板部１７ｃ,１７ｄには、回動軸１９Ａ,１９Ｂ（図４参照）がそれぞれ設けられている。この回動軸１９Ａ,１９Ｂは、フロントパネル組立体１１に設けられた後述する軸受部３８Ａ,３８Ｂにそれぞれ回動可能に嵌合される。
【００２７】
蓋体３は、フロントパネル組立体１１及び操作パネル組立体１２を覆う閉塞位置から、フロントパネル組立体１１及び操作パネル組立体１２を開放する開放位置まで回動するようになっている。閉塞位置では、側板部１７ｂ,１７ｃ,１７ｄの端面が操作パネル１４の三辺にそれぞれ当接し、蓋体３の回動が係止される。一方、開放位置では、ベース部１７ａが外装ケース２の上面を形成する一辺（角部）に当接し、蓋体３の回動が係止される。
【００２８】
表示部１８は、ベース部１７ａの一面の略全体を覆う大きさの四角形に形成されている。つまり。表示部１８は、蓋体３の内面に設けられており、蓋体３を閉じた状態において、操作パネル組立体１２に対向する。この表示部１８としては、液晶ディスプレイ、有機ＥＬディスプレイなどを挙げることができる。表示部１８には、カートリッジの情報記録媒体に記録された情報に基づいた映像や音声、各種設定を行うためのメニュー画面などが表示される。
【００２９】
［フロントパネル組立体］
次に、フロントパネル組立体１１について、図３及び図４を参照して説明する。
図３は、フロントパネル組立体１１の正面図であり、図４は、フロントパネル組立体１１の背面図である。
【００３０】
フロントパネル組立体１１は、フロントパネル２１と、第１のロック部材２２と、第２のロック部材２３と、ロック解除規制部材２４と、操作部材２５と、ロック部材係止機構２６を備えている（図４参照）。
【００３１】
まず、フロントパネル２１について説明する。
フロントパネル２１は、横長の長方形に形成された板体からなる。このフロントパネル２１には、開口部３１と、操作部用貫通孔３２と、レバー用貫通孔３３が設けられている（図３参照）。
【００３２】
開口部３１は、フロントパネル２１の略中央に設けられており、横長の長方形に形成されている。この開口部３１に挿入されたカードリッジは、上述したカートリッジ搬送機構によって外装ケース２内の装着位置に搬送される。また、カートリッジ搬送機構によって排出されたカートリッジは、開口部３１から突出する。
【００３３】
操作部用貫通孔３２は、開口部３１の右側に設けられており、四角形に形成されている。この操作部用貫通孔３２には、操作部材２５の後述する操作凸部２５ｃが貫通している。また、レバー用貫通孔３３は、操作部用貫通孔３２の右側に設けられており、略長方形に形成されている。このレバー用貫通孔３３には、第１のロック部材２２の後述するロック解除レバー４８ａが貫通している。
【００３４】
フロントパネル２１の背面には、上板部３５と、左側板部３６と、右側板部３７と、一対の軸受部３８Ａ,３８Ｂが設けられている。上板部３５は、フロントパネル２１の短手方向の一端である上辺に連続して略垂直に突出している。この上板部３５は、情報記録再生装置の上面の一部を形成する。
【００３５】
左側板部３６は、フロントパネル２１の長手方向の一端に連続して略垂直に突出している。この左側板部３６は、略Ｌ字状に形成されており、上板部３５と平行な上片３６ａと、この上片３６ａに直交する側片３６ｂからなっている。左側板部３６の側片３６ｂには、第２のロック部材２３の後述するロック突部５２ａを移動可能に貫通させる貫通孔（不図示）が設けられている。
【００３６】
右側板部３７は、フロントパネル２１の長手方向の他端に連続して略垂直に突出している。この右側板部３７は、左側板部３６と同様に、略Ｌ字状に形成されており、上板部３５と平行な上片３７ａと、この上片３７ａに直交する側片３７ｂからなっている。右側板部３７の上片３７ａには、ロック部材係止機構２６の後述する係合突起６４を移動可能に貫通させる貫通孔（不図示）が設けられている。また、右側板部３７の側片３７ｂには、第１のロック部材２２の後述するロック突部４２ａを挿通させる貫通孔３７ｃが設けられている。（図５参照）
【００３７】
一対の軸受部３８Ａ,３８Ｂは、フロントパネル２１の長手方向の両端部に適当な間隔をあけて設けられている。これら軸受部３８Ａ,３８Ｂは、それぞれフロントパネル２１の長手方向に延びる軸受孔（不図示）を有している。一対の軸受部３８Ａ,３８Ｂには、蓋体３の回動軸１９Ａ,１９Ｂが回動可能に嵌合される（図５参照）。
【００３８】
さらに、フロントパネル２１の背面には、歯車２８が回転可能に取り付けられている。この歯車２８には、第１のロック部材２２、第２のロック部材２３及びロック解除規制部材２４にそれぞれ設けられたラック４５ａ,５４ａ,５７ａが噛合う。
【００３９】
次に、第１のロック部材２２について説明する。
第１のロック部材２２は、フロントパネル２１の背面側に配置されており、ベース板４１と、ロック片４２と、操作片４３とを備えている。
【００４０】
ベース板４１は、横長の略長方形に形成されている。このベース板４１は、フロントパネル２１に支持されており、長手方向（横方向）に移動可能になっている。ベース板４１には、歯車２８が挿通される歯車用窓部４５と、後述する引張りコイルばね２９との干渉を避けるためのばね用窓部４６が設けられている。
【００４１】
歯車用窓部４５及びばね用窓部４６は、ベース板４１の長手方向に適当な間隔をあけて配置されており、それぞれ横長の略長方形に形成されている。歯車用窓部４５の下辺には、歯車２８に噛合うラック４５ａが設けられている。また、ばね用窓部４６の左側（図４において右側）には、ばね取付用孔４７が設けられている。
【００４２】
ロック片４２は、ベース板４１の右端に連続して略垂直に突出する板体からなっている。このロック片４２は、フロントパネル２１の右側板部３７に対向している。ロック片４２には、フロントパネル２１の右側板部３７に設けた貫通孔３７ｃに挿通されるロック突部４２ａが設けられている。ロック突部４２ａは、円柱状に形成されており、軸方向の中間部に段部４４が設けられている。このロック突部４２ａは、蓋体３の閉じる方向への回動を阻止する。
【００４３】
操作片４３は、ベース板４１の上端に連続して上方に延びる操作アーム４８と、この操作アーム４８に連続して左側（図４において右側）に延びる係合アーム４９からなっている。操作アーム４８には、フロントパネル２１のレバー用貫通孔３３を貫通するロック解除レバー４８ａが設けられている。係合アーム４９は、第１のロック部材２２がフロントパネル２１の左側板部３６側に移動すると、操作部材２５の背面に重なるように係合する。
【００４４】
次に、第２のロック部材２３について説明する。
第２のロック部材２３は、第１のロック部材２２の背面側に配置されており、ベース板５１と、ロック片５２とを備えている。
【００４５】
ベース板５１は、横長の略長方形に形成されている。このベース板５１は、フロントパネル２１に支持されており、長手方向（横方向）に移動可能になっている。ベース板５１には、歯車２８が挿通される歯車用窓部５４と、引張りコイルばね２９との干渉を避けるためのばね用窓部５５が設けられている。
【００４６】
歯車用窓部５４及びばね用窓部５５は、ベース板５１の長手方向に適当な間隔をあけて配置されており、それぞれ横長の略長方形に形成されている。歯車用窓部５４の上辺は、第１のロック部材２２に設けた歯車用窓部４５の下辺に対向している。この歯車用窓部５４の上辺には、歯車２８に噛合うラック５４ａが設けられている。また、ばね用窓部５５の右側（図４において左側）には、ばね取付用孔５６が設けられている。
【００４７】
ロック片５２は、ベース板５１の左端に連続して略垂直に突出する板体からなっている。このロック片５２は、フロントパネル２１の左側板部３６に対向している。ロック片５２には、フロントパネル２１の左側板部３６に設けた貫通孔（不図示）に挿通されるロック突部５２ａが設けられている。ロック突部５２ａは、ロック突部４２ａと同様に、円柱状に形成されており、蓋体３の閉じる方向への回動を阻止する。
【００４８】
引張りコイルばね２９は、ロック用付勢部材の一具体例を示すものである。この引張りコイルばね２９の一端は、第１のロック部材２２のばね取付用孔４７に取り付けられており、他端は、第２のロック部材２３のばね取付用孔５６に取り付けられている。これにより、第１のロック部材２２は、フロントパネル２１の右側板部３７側であるロック位置に付勢され、第２のロック部材２３は、フロントパネル２１の左側板部３６側であるロック位置に付勢される。
【００４９】
第１のロック部材２２がロック位置に付勢されると、ロック突部４２ａは、右側板部３７の貫通孔３７ｃを貫通してフロントパネル２１の外側に突出する。これにより、ロック突部４２ａは、蓋体３の側板部１７ｃに干渉し、蓋体３の閉じる方向への回動を阻止する。
【００５０】
これと同様に、第２のロック部材２３がロック位置に付勢されると、ロック突部５２ａは、左側板部３６の貫通孔（不図示）を貫通してフロントパネル２１の外側に突出する。これにより、ロック突部５２ａは、蓋体３の側板部１７ｄに干渉し、蓋体３の閉じる方向への回動を阻止する。
【００５１】
次に、ロック解除規制部材２４について説明する。
ロック解除規制部材２４は、上下方向に延びる略長方形の板体からなり、第２のロック部材２３の背面側に配置されている。このロック解除規制部材２４は、フロントパネル２１に支持されており、上下方向に移動可能になっている。ロック解除規制部材２４は、上方に移動すると、開口部３１の右側部分（図４において左側部分）を塞ぐようになっている。
【００５２】
ロック解除規制部材２４には、歯車２８が挿通される歯車用窓部５７が設けられている。この歯車用窓部５７は、縦長の略長方形に形成された板体からなっている。歯車用窓部５４の左辺には、歯車２８に噛合うラック５７ａが設けられている。
【００５３】
次に、操作部材２５について説明する。
操作部材２５は、横長の略長方形に形成された板体からなり、一対の固定用アーム２５ａ,２５ｂと、操作凸部２５ｃと、押圧突起２５ｄを有している。一対の固定用アーム２５ａ,２５ｂは、操作部材２５の長手方向の一端に設けられており、フロントパネル２１の背面に固定されている。
【００５４】
操作凸部２５ｃは、操作部材２５の前面に設けられており、フロントパネル２１の操作部用貫通孔３２から突出する。押圧突起２５ｄは、操作部材２５の背面であって長手方向の他端に設けられている。
【００５５】
操作部材２５の操作凸部２５ｃを押圧すると、一対の固定用アーム２５ａ,２５ｂが撓み変形し、押圧突起２５ｄがカートリッジ搬送機構を駆動させるためのスイッチ（不図示）を押圧する。つまり、操作部材２５の操作凸部２５ｃを押圧すると、カートリッジの取り出し動作或いは挿入動作が実行される。
【００５６】
次に、ロック部材係止機構２６について図５を参照して説明する。
図５は、ロック部材係止機構２６を示す斜視図である。
【００５７】
ロック部材係止機構２６は、フロントパネル２１に固定された支持部材６１と、この支持部材に移動可能に支持された係止部材６２と、係止用付勢部材の一具体例を示す引張りコイルばね６３から構成されている。
【００５８】
支持部材６１は、支持片６１ａと、ばね固定片６１ｂとを有している。支持片６１ａは、略長方形の板体からなり、フロントパネル２１の右側板部３７に対向している。この支持片６１ａは、係止部材６２を上下方向に移動可能に支持している。ばね固定片６１ｂは、支持片６１ａの上端に連続して右側板部３７に向かう横方向に突出している。
【００５９】
係止部材６２は、側面形状が略コ字状に形成されており、係止片６２ａと、立上り片６２ｂと、ばね固定片６２ｃを有している。係止片６２ａは、略長方形の板体からなり、支持部材６１の支持片６１ａに対向する。この係止片６２ａは、支持片６１ａに移動可能に支持されている。
【００６０】
係止片６２ａの上端の一部は、第１のロック部材２２のロック突部４２ａに対向している。この係止片６２ａの上端の一部は、ロック突部４２ａに設けられた段部４４に係合する係合部６２ｄになっている。この係合部６２ｄは、第１のロック部材２２がロック解除位置に移動したときに、ロック突部４２ａの段部４４に係合する。
【００６１】
立上り片６２ｂは、支持片６１ａの上端において、ロック突部４２ａに対向していない部分に連続しており、Ｌ字状に折り曲げ形成されている。この立上り片６２ｂの上部には、係合突起６４が設けられている。この係合突起６４は、係止片６２ａの係合部６２ｄがロック突部４２ａの段部４４に係合すると、右側板部３７の上片３７ａに設けた貫通孔（不図示）から突出する。上片３７ａの貫通孔から突出した係合突起６４は、蓋体３の回動軸１９Ｂに設けられた押圧部２０に押圧される。
【００６２】
ばね固定片６２ｃは、係止片６２ａの下端に連続して右側板部３７に向かう横方向に突出している。このばね固定片６２ｃは、支持部材６１の支持片６１ａの下方に位置し、ばね固定片６１ｂに対向している。
【００６３】
引張りコイルばね６３の一端は、支持部材６１のばね固定片６１ｂに取り付けられており、他端は、係止部材６２のばね固定片６２ｃに取り付けられている。これにより、係止部材６２は、上方に付勢されている。第１のロック部材２２がロック位置にある場合は、係止部材６２の係合部６２ｄがロック突部４２ａの周面に当接する。そして、第１のロック部材２２がロック解除位置に移動すると、係止部材６２が引張りコイルばね６３のばね力によって上方へ移動し、係合部６２ｄがロック突部４２ａの段部４４に係合する。その結果、第１のロック部材２２のロック位置への移動が係止される。
【００６４】
次に、蓋体３の回動軸１９Ｂに設けた押圧部２０について図５を参照して説明する。
押圧部２０は、回動軸１９Ｂに嵌合するリング状に形成されている。この押圧部２０は、半径を徐々に大きくするようにして形成された操作突起２０ａを有している。この操作突起２０ａは、蓋体３を閉じる方向に回動させると、フロントパネル２１に設けた右側板部３７の上片３７ａに接近する。そして、蓋体３が閉じられると、操作突起２０ａは、係止部材６２の係合突起６４を押圧する。
【００６５】
［ロック解除動作］
次に、蓋体３の閉じる方向への回動を可能にするロック解除動作について、図６及び図７を参照して説明する。
図６は、蓋体３の閉じる方向への回動を可能にした状態の開口部３１を示す斜視図である。図７は、蓋体３の閉じる方向への回動を可能にした状態のフロントパネル組立体の背面図である。
【００６６】
蓋体３を開くと、第１及び第２のロック部材２２,２３がそれぞれロック位置に付勢され、蓋体３の閉じる方向への回動が阻止される。この蓋体３の閉じる方向への回動を阻止するロック動作については、後で詳しく説明する。
【００６７】
蓋体３の閉じる方向への回動を可能にするには、ロック解除レバー４８ａを左方に移動させる。ロック解除レバー４８ａを左方に移動させると、第１のロック部材２２がフロントパネル２１の左側板部３６側に移動する（図７参照）。これにより、第１のロック部材２２のラック４５ａに噛合っている歯車２８が回転する。
【００６８】
歯車２８が回転すると、この歯車２８に噛合っているラック５４ａを有する第２のロック部材２３と、同じくラック５７ａを有するロック解除規制部材２４が連動する。つまり、第２のロック部材２３は、フロントパネル２１の右側板部３７側に移動する。一方、ロック解除規制部材２４は、開口部３１の一部を塞ぐように、上方（上板部３５側）に移動する。
【００６９】
このとき、カートリッジ（不図示）が開口部３１から突出していると、カートリッジの底面にロック解除規制部材２４が干渉し、ロック解除規制部材２４の上方への移動が妨げられる。これにより、歯車２８の回転が係止され、第１及び第２のロック部材２２,２３をロック解除位置まで移動させることができなくなる。
【００７０】
したがって、カートリッジが開口部３１から突出している場合には、蓋体３の閉じる方向への回動が阻止され、蓋体３とカートリッジが干渉すること回避することができる。その結果、蓋体３やカートリッジの外装部及び情報記録媒体が損傷することを防止することができる。特に、本実施の形態では、蓋体３の内面に表示部１８が設けられている。そのため、蓋体３とカートリッジが干渉すること回避することにより、表示部１８がカートリッジに接触して傷つくことを防止することができる。
【００７１】
一方、カートリッジが開口部３１から突出していない場合は、ロック解除規制部材２４の上方への移動が妨げられることはない。したがって、第１及び第２のロック部材２２,２３は、それぞれロック解除位置まで移動することができるようになる。
【００７２】
図７に示すように、第１及び第２のロック部材２２,２３をロック解除位置まで移動させると、ロック突部４２ａ,５２ａがフロントパネル２１内に引き込まれ、蓋体３の閉じる方向への回動が可能になる。つまり、開口部３１からカートリッジが突出していなければ、蓋体３の閉じる方向への回動を可能にすることができる。
【００７３】
また、第１のロック部材２２がロック解除位置まで移動すると、引張りコイルばね６３のばね力によって係止部材６２が上方へ移動する。これにより、係止部材６２の係合部６２ｄがロック突部４２ａの段部４４に係合し、第１のロック部材２２のロック位置への移動が係止される（図５参照）。このとき、係止部材６２の係合突起６４は、右側板部３７の上片３７ａに設けた貫通孔を貫通してフロントパネル２１の外側に突出する。一方、第２のロック部材２３及びロック解除規制部材２４の移動は、歯車２８によって係止される。
【００７４】
さらに、第１のロック部材２２がロック解除位置まで移動すると、第１のロック部材２２の係合アーム４９が操作部材２５の背面に重なるように係合する。これにより、操作部材２５の操作凸部２５ｃ（図６参照）を押圧しても、固定用アーム２５ａ,２５ｂの撓み変形が防止或いは抑制される。その結果、押圧突起２５ｄによってカートリッジ搬送機構を駆動させるためのスイッチ（不図示）が押圧されることを阻止し、カートリッジの取り出し動作を禁止することができる。
【００７５】
第１のロック部材２２がロック解除位置にある場合は、ロック解除規制部材２４が開口部３１の一部を塞いでいる。この状態において、外装ケース２内の装着位置に配置されたカートリッジを搬出位置に搬送すると、カートリッジの端部がロック解除規制部材２４に干渉する。その結果、カートリッジ、ロック解除規制部材２４及びカートリッジ搬送機構を損傷させてしまうという心配がある。
【００７６】
［ロック動作］
次に、蓋体３の閉じる方向への回動を阻止するロック動作について、図８を参照して説明する。
図８は、係止部材６２が第１のロック部材２２に対する係止を解除するまでの動作を示す説明図である。
【００７７】
第１のロック部材２２がロック解除位置まで移動すると、係止部材６２の係合突起６４は、右側板部３７の上片３７ａに設けた貫通孔を貫通してフロントパネル２１の外側に突出する（図８（ａ）参照）。このとき、蓋体３が開かれており、回動軸１９Ｂに設けた押圧部２０の操作突起２０ａは、係止部材６２の係合突起６４から離れている。
【００７８】
図８（ａ）に示す状態から、蓋体３を閉じる方向に回動させると、押圧部２０の操作突起２０ａは、係止部材６２の係合突起６４に接近する。そして、操作突起２０ａの端部が、係合突起６４に接触する（図８（ｂ）参照）。
【００７９】
図８（ｂ）に示す状態から、さらに蓋体３を閉じる方向に回動させると、押圧部２０の操作突起２０ａは、係止部材６２の係合突起６４を下方に押圧する。これにより、係止部材６２が押圧部２０の半径方向である下方に移動する。そして、蓋体３を閉じると、係止部材６２の係合部６２ｄがロック突部４２ａの段部４４から外れる（図８（ｃ）参照）。
【００８０】
これにより、第１のロック部材２２は、引張りコイルばね２９（図７参照）のばね力によってフロントパネル２１の右側板部３７側に付勢され、第２のロック部材２３は、フロントパネル２１の左側板部３６側に付勢される。このとき、ロック突部４２ａ,５２ａの先端は、それぞれ蓋体３の側板部１７ｂ,１７ｃに当接し、第１及び第２のロック部材２２,２３のロック位置への移動が係止されている。
【００８１】
その後、蓋体３を開くと、ロック突部４２ａ,５２が開放され、第１及び第２のロック部材２２,２３は、ロック位置へ移動する。その結果、ロック突部４２ａ,５２がフロントパネル２１の外側に突出し、蓋体３の閉じる方向への回動が阻止される。また、ロック解除規制部材２４は、第１のロック部材２２の移動に連動して下方に移動し、開口部３１が開放される（図４参照）。つまり、情報記録再生装置１では、蓋体３を閉じた後に再び蓋体３を開くと、自動的に蓋体３の閉じる方向への回動を阻止するロック状態にすることができる。
【００８２】
〈２．第１の実施の形態〉
［情報記録再生装置］
次に、本発明の情報記録再生装置の第２の実施の形態について、図９及び図１０を参照して説明する。
図９は、本発明の情報記録再生装置の第２の実施の形態に係るロック部材係止機構を示す斜視図である。図１０は、図９に示すロック部材係止機構をＡ−Ａ′線で断面した断面図である。
【００８３】
第２の実施の形態を示す情報記録再生装置７１は、第１の実施の形態の情報記録再生装置１と同様な構成を有しており、異なるところは、ロック部材係止機構７２のみである。そのため、ここでは、ロック部材係止機構７２について説明し、情報記録再生装置１と共通する部分には同一の符号を付して重複した説明を省略する。
【００８４】
［ロック部材係止機構］
ロック部材係止機構７２は、フロントパネル２１に回動可能に支持された係止部材７３と、係止用付勢部材の一具体例を示すねじりコイルばね（不図示）から構成されている。係止部材７３は、平面形状がＬ字状に形成されており、係止片７３ａと、係合片７３ｂとを有している。
【００８５】
係止片７３ａは、長方形の板体からなり、表裏面を貫通する軸受孔７５を有している。この軸受孔７５は、フロントパネル２１の右側板部３７に固定された軸部（不図示）に回動可能に嵌合されている。軸部は、フロントパネル２１の右側板部３７に固定されており、ロック突部４２ａと平行に延びている。これにより、係止部材７３は、上下方向に回動可能となっている。また、係止片７３ａは、第１のロック部材２２がロック解除位置に移動したときに、ロック突部４２ａに設けられた段部４４に係合する。
【００８６】
係合片７３ｂは、係止片７３ａに連続する長方形の板体からなっている。この係合片７３ｂは、右側板部３７の上片３７ａに設けた貫通孔（不図示）から突出している。上片３７ａの貫通孔から突出した係合片７３ｂは、蓋体３の回動軸１９Ｂに設けた押圧部２０に押圧される。
【００８７】
ねじりコイルばねには、軸部が挿通されている。このねじりコイルばねの一端は、係止部材７３に固定されており、他端は、フロントパネル２１の右側板部３７に固定されている。このねじりコイルばねにより、係止部材７３は、図１０において右回り方向Ｒに付勢に付勢されている。
【００８８】
第１のロック部材２２がロック位置にある場合は、係止部材７３の係止片７３ａがロック突部４２ａの周面に当接する。そして、第１のロック部材２２がロック解除位置に移動すると、係止部材７３がねじりコイルばねのばね力によって右回り方向Ｒに回動し、係止片７３ａがロック突部４２ａの段部４４に係合する。その結果、第１のロック部材２２のロック位置への移動が係止される。
【００８９】
また、第１のロック部材２２がロック解除位置まで移動すると、係止部材７３の係合片７３ｂは、右側板部３７の上片３７ａに設けた貫通孔から略垂直に突出する（図１０参照）。
この状態から蓋体３を閉じる方向に回動させると、押圧部２０の操作突起２０ａが係止部材７３の係合片７３ｂに接近し、係合片７３ｂを蹴るように押圧する。これにより、係止部材７３は、左回り方向Ｌに回動する。そして、蓋体３を閉じると、係止部材７３の係合片７３ｂがロック突部４２ａの段部４４から外れる。
【００９０】
このような情報記録再生装置７１においても、第１の実施の形態の情報記録再生装置１と同じ効果を得ることができる。つまり、開口部３１からカートリッジが突出している場合には、蓋体３の閉じる方向への回動を阻止して、蓋体３とカートリッジが干渉すること回避することができる。しかも、蓋体３を閉じた後に再び蓋体３を開くと、自動的に、蓋体３の閉じる方向への回動を阻止するロック状態にすることができる。
【００９１】
本発明は、前述しかつ図面に示した実施の形態に限定されるものではなく、特許請求の範囲に記載した発明の要旨を逸脱しない範囲内で種々の変形実施が可能である。例えば、上述した実施の形態では、第１のロック部材２２と第２のロック部材２３を設ける構成としたが、本発明に係る情報記録再生装置としては、第１のロック部材２２のみを設ける構成にすることもできる。その場合は、引張りコイルばね２９の他端は、フロントパネル２１に取り付けられる。
【００９２】
上述した実施の形態では、第１のロック部材２２がロック解除レバー４８ａを備える構成としたが、これらを別体に構成することもできる。その場合は、第１のロック部材２２又はロック解除レバー４８ａを操作部材２５に係合可能に構成し、カートリッジの取り出し動作を禁止する。
【００９３】
上述した実施の形態では、蓋体３の回動軸１９Ｂに押圧部を設ける構成としたが、本発明に係る押圧部としては、例えば、蓋本体１７に押圧部を設ける構成としてもよい。その場合においても、蓋体３を閉じると、押圧部がロック部材係止機構の係止突起を押圧して係止部材とロック突部との係合が外れるようにする。
【００９４】
また、本発明に係るロック用付勢部材及び係止用付勢部材としては、引張りコイルばねに限定されるものではなく、板ばね、圧縮コイルばね、その他の弾性体を適用することもできる。
【符号の説明】
【００９５】
１…情報記録再生装置、  ２…外装ケース、  ３…蓋体、  １１…フロントパネル組立体、  １２…操作パネル組立体、  １７…蓋本体、  １７ａ…ベース部、  １７ｂ,１７ｃ,１７ｄ…側板部、  １８…表示部、  １９Ａ,１９Ｂ…回動軸、  ２０…押圧部、  ２０ａ…操作突起、  ２１…フロントパネル、  ２２…第１のロック部材、  ２３…第２のロック部材、  ２４…ロック解除規制部材、  ２５…操作部材、  ２６…ロック部材係止機構、  ３１…開口部、  ３６…左側板部、  ３７…右側板部、  ４１…ベース板、  ４２…ロック片、  ４２ａ,５２ａ…ロック突部、  ４３…操作片、４８…操作アーム、  ４８ａ…ロック解除レバー、  ４９…係合アーム、  ６１…支持部材、  ６２…係止部材、  ６４…係合突起
【図１】
2010250871.tif 000003
【図２】
2010250871.tif 000004
【図３】
2010250871.tif 000005
【図４】
2010250871.tif 000006
【図５】
2010250871.tif 000007
【図６】
2010250871.tif 000008
【図７】
2010250871.tif 000009
【図８】
2010250871.tif 000010
【図９】
2010250871.tif 000011
【図１０】
2010250871.tif 000012